(57)【要約】  誤操作の原因を生じない車載情報装置を提供する。  タッチパネル１２１上に表示されたオブジェクト１１〜１８の編集を可能とした車載情報装置において、前記オブジェクト１１の移動可能な方向を示すマーク２０（２０ａ）を表示する編集モードを設け、前記マーク２０（２０ａ）へのタッチ操作により選択オブジェクト１１と前記マーク２０（２０ａ）の示す方向に位置する対象オブジェクト１２とを入れ替える。
2015151619.tif 000002
【特許請求の範囲】
【請求項１】
タッチパネル上に表示されたオブジェクトの編集を可能とした車載情報装置において、前記オブジェクトの移動可能な方向を示すマークを表示する編集モードを設け、前記マークへのタッチ操作により選択オブジェクトと前記マークの示す方向に位置する対象オブジェクトとを入れ替えることを特徴とする車載情報装置。
【請求項２】
前記マークへのタッチ操作により前記選択オブジェクトと、当該選択オブジェクトと略均等の表示形態を有する一個又は一群の前記対象オブジェクトとを入り替えることを特徴とする請求項１記載の車載情報装置。
【請求項３】
前記一群の対象オブジェクトの群全体の表示領域の高さＨが、前記選択オブジェクトの表示領域の高さ内に収まり、前記一群の対象オブジェクトの個々の表示領域の幅が、最大の対象オブジェクトの表示領域の幅Ｗ内に収まる際に、前記選択オブジェクトと前記一群の対象オブジェクトとを入り替えることを特徴とする請求項２記載の車載情報装置。
【請求項４】
前記一群の対象オブジェクトの群全体の表示領域の幅Ｗが、前記選択オブジェクトの表示領域の幅内に収まり、前記一群の対象オブジェクトの個々の表示領域の高さが、最大の対象オブジェクトの表示領域の高さＨ内に収まる際に、前記選択オブジェクトと前記一群の対象オブジェクトとを入り替えることを特徴とする請求項２記載の車載情報装置。
【請求項５】
前記マークを長押しすることにより、前記入れ替え可能な一個又は一群の前記対象オブジェクトを認識可能に表示させることを特徴とする、請求項１乃至４の何れか一項に記載の車載情報装置。
【請求項６】
前記選択オブジェクトに削除部を表示することを特徴とする、請求項１乃至５の何れか一項に記載の車載情報装置。
【請求項７】
前記選択オブジェクトに追加部を表示することを特徴とする、請求項１乃至６の何れか一項に記載の車載情報装置。
【発明の詳細な説明】
【技術分野】
【０００１】
本発明は、タッチパネルを備えた車載情報装置に関する。
【背景技術】
【０００２】
従来、スマートフォン、タブレットパソコンなど、多くのタッチパネル機器では、編集画面のアイコンを並び替える際、オブジェクトをホールド（長押し）することで編集状態にし、その後に当該オブジェクトをドラッグすることで当該オブジェクトの移動、入れ替えを行っている（例えば、特許文献１参照）。
【先行技術文献】
【特許文献】
【０００３】
【特許文献１】特開２００９−５２２６６６号公報
【発明の概要】
【発明が解決しようとする課題】
【０００４】
しかしながら、特許文献１による場合、手に持つことで操作可能なタッチパネル機器であれば問題ないものの、シートベルトで体が固定され、かつ、運転時の揺れなどが操作に影響を及ぼす車載機においては、画面から指を離すことなく操作するドラッグ操作は困難である。そのため、操作途中で意図せずとも指が離れてしまい、誤操作の原因を生じるという問題があった。また信号待ちの停止中にタッチパネルを操作する場合、操作中に信号が変わって操作を中断しその結果意図しない操作になってしまうという問題があった。
本発明は、上述した事情に鑑みてなされたものであり、誤操作の原因を生じない車載情報装置を提供することを目的とする。
【課題を解決するための手段】
【０００５】
上記目的を達成するため、本発明は、タッチパネル上に表示されたオブジェクトの編集を可能とした車載情報装置において、前記オブジェクトの移動可能な方向を示すマークを表示する編集モードを設け、前記マークへのタッチ操作により選択オブジェクトと前記マークの示す方向に位置する対象オブジェクトとを入れ替えることを特徴とする。
この発明では、マークへのタッチ操作により、選択オブジェクトと、マークの示す方向に位置する対象オブジェクトとが入れ替えられるため、編集操作を確実に行うことができ、誤作動を抑えられる。【０００６】
前記マークへのタッチ操作により前記選択オブジェクトと、当該選択オブジェクトと略均等の表示形態を有する一個又は一群の前記対象オブジェクトとを入れ替えてもよい。
前記一群の対象アイコンの群全体の表示領域の高さが、前記選択オブジェクトの表示領域の高さ内に収まり、前記一群の対象アイコンの個々の表示領域の幅が、最大の対象アイコンの表示領域の幅内に収まる際に、前記選択オブジェクトと前記一群の対象オブジェクトとを入り替えてもよい。
前記一群の対象アイコンの群全体の表示領域の幅が、前記選択オブジェクトの表示領域の幅内に収まり、前記一群の対象アイコンの個々の表示領域の高さが、最大の対象アイコンの表示領域の高さＨ内に収まる際に、前記選択オブジェクトと前記一群の対象オブジェクトとを入り替えてもよい。【０００７】
前記マークを長押しすることにより、前記入れ替え可能な一個又は一群の前記対象オブジェクトを認識可能に表示させてもよい。
前記選択オブジェクトに削除部を表示してもよいし、あるいは、前記選択オブジェクトに追加部を表示してもよい。
【発明の効果】
【０００８】
本発明によれば、ドラッグ操作を必要とせずにオブジェクトの入れ替えが可能となるため、例えば運転時の揺れが生じる状況等においても、ドラッグ操作を失敗するなどの事態を生じず、タッチパネルの誤操作を防止できる。
【図面の簡単な説明】
【０００９】
【図１】図１は、本発明の実施形態に係るカーナビゲーション装置を示す図である。
【図２】図２は、ハードウェア構成の一例を示すブロック図である。
【図３】（Ａ）は編集モードの第１の編集画面を示し、（Ｂ）は第２の編集画面を示し、（Ｃ）は第３の編集画面を示す図である。
【図４】図４は、オブジェクトの入れ替え操作を示す図であり、（Ａ）（Ｂ）は第１の編集画面を示す図である。
【図５】図５は、別の実施形態に係る図であり、（Ａ）は編集モードの第１の編集画面を示し、（Ｂ）は第２の編集画面を示し、（Ｃ）は第３の編集画面を示す図である。
【図６】図６は、別の実施形態による、オブジェクトの入れ替え操作を示す図であり、（Ａ）（Ｂ）は第１の編集画面を示す図である。
【図７】図７は、別の実施形態による、オブジェクトの入れ替え操作を示す図であり、（Ａ）（Ｂ）は第１の編集画面を示す図である。
【図８】図８は、別の実施形態による、オブジェクトの入れ替え操作を示す図であり、（Ａ）（Ｂ）は第１の編集画面を示す図である。
【図９】図９は、別の実施形態による、オブジェクトの入れ替え操作が不可能な状態を示す図である。
【図１０】（Ａ）は編集画面を示し、（Ｂ）はアプリケーション選択画面を示す図である。
【図１１】図１１は、編集モードの第１の編集画面を示す図である。
【図１２】図１２は、編集モードの第１の編集画面を示す図である。
【図１３】図１３は、別の実施形態による車載情報装置を示す図である。
【発明を実施するための形態】
【００１０】
以下、図面を参照して本発明の一実施形態について説明する。
図１において、符号１は、本実施の形態に係るカーナビゲーション装置（車載情報装置）を示している。このカーナビゲーション装置１は、例えば、運転席２及び助手席３の間の車内空間の前方部４に搭載されている。
【００１１】
図２は、本実施形態に係るカーナビゲーション装置１の機能ブロック図である。
カーナビゲーション装置１は、制御部１００と、記憶部１１０と、タッチ操作ユニット１２０とを備えている。
制御部１００は、カーナビゲーション装置１の全体を制御するもので、各種のプログラムを実行することによって各機能を実現するＣＰＵなどの演算装置を備えている。
記憶部１１０は、例えばフラッシュメモリなどの電気的に書き換えが可能な不揮発性のメモリであり、制御部１００が、例えばナビ機能、オーディオ機能などの各機能を実現するためのプログラムを格納している。また、この記憶部１１０は、後述する液晶表示装置１２２の画面に表示するアイテムのＧＵＩ（グラフィカルユーザインターフェイス）用画像データも格納している。
【００１２】
タッチ操作ユニット１２０は、タッチパネル１２１と、液晶表示装置１２２とを備えており、タッチパネル１２１の下に液晶表示装置１２２を設けている。このタッチ操作ユニット１２０は、ユーザが直感的に操作できるように、液晶表示装置１２２に各種の情報を表示し、タッチパネル１２１によって表示された情報を操作できるようにユーザのタッチ操作を受け付ける。
【００１３】
タッチパネル１２１は、カーナビゲーション装置１を動作させるため、ユーザの操作を受け取る。タッチパネル１２１が受け付けた操作情報を制御部１００に出力し、制御部１００が取得した操作情報に基づき記憶部１１０からプログラムを読み取り、実行することによって、カーナビゲーション装置１は、動作を実行する。より具体的には、タッチパネル１２１は、ユーザがタッチしたタッチ位置を検出し、制御部１００にタッチ位置を出力する。制御部１００は、取得したタッチ位置に基づきユーザが指定した情報を特定し、情報に対応付けられたプログラムを記憶部１１０から読み取り、実行する。これによって、カーナビゲーション装置１は、動作を実行することができる。
タッチパネル１２１のタッチ操作の検出方式には、例えば静電容量方式、抵抗膜方式、超音波方式など様々な方式があるが、ユーザのタッチ操作を検出するものであれば、いずれを採用してもよい。
【００１４】
液晶表示装置１２２は、液晶ディスプレイなどの平面状で薄型の視覚表示装置であり、制御部１００の制御の下、制御部１００から出力される表示画面信号に基づき、画面に各種の情報を表示する。
【００１５】
図３は、カーナビゲーション装置１を編集モードで操作する過程を示した図である。
本実施の形態では、ユーザが、タッチ操作ユニット１２０のタッチパネル１２１から、編集モードへの移行指令を与えると、制御部１００を介して、液晶表示装置１２２に、図３（Ａ）に示すように、第１の編集画面１０が表示される。第１の編集画面１０には、横に４列、縦に２行の合計８つのアイコン１１、１２、１３、…１８が配置される。第１の編集画面１０が開かれた場合、初期状態として編集画面１０の左上のアイコン１１が編集可能に選択されている。
【００１６】
図３（Ａ）において、アイコン１１にはアプリケーションＡが、アイコン１２にはアプリケーションＢが、アイコン１５にはアプリケーションＣが、アイコン１９にはアプリケーションＤが、アイコン２３にはアプリケーションＥがセッティングされている。第１の編集画面１０中では、アイコン１１の左上に、当該アプリケーションを削除するための削除部１１ａが表示されている。なお、アプリケーションＡ、アプリケーションＢ、アプリケーションＣ…等の各アプリケーションは、例えば、音楽アプリケーション、地図アプリケーション等である。
アイコン１３、１４、１６、１７、１８はブランクアイコンである。ブランクアイコン１３、１４、１６、１７、１８には、アプリケーションがセッティングされていない。アプリケーションを追加するための追加部１３ａ、１４ａ、１６ａ、１７ａ、１８ａが表示されている。ここで、アイコンの語は、例えば第１の編集画面１０中における小さなサイズの表示物をいう。ウィジェットの語は、例えば第１の編集画面１０中における大きなサイズの表示物をいう。そして、アイコンとウィジェットを含む総称として、オブジェクトの用語を用いる。
【００１７】
図３（Ａ）では、左上のアイコン１１が編集可能に選択されている。
選択アイコン（選択オブジェクト）１１は、視覚で理解できるように、その周囲枠２４が発色されている。
【００１８】
周囲枠２４の周囲には、オブジェクトの移動可能な方向を示すマーク（入れ替えマーク）２０（２０ａ、２０ｂ、２０ｃ）が表示されている。アイコン（オブジェクト）が選択されると、選択アイコンを潜在的に入れ替え可能な配置先がある場合には、選択アイコンの周囲に入れ替えマーク２０が表示される。例えば、図３（Ａ）を参照すると、アイコン１１は、アイコン１１より上側には移動できない仕組みとなっているため、アイコン１１の上側には潜在的に入れ替えが不可能であり、アイコン１１の上側には入れ替えマーク２０も表示されない。他方で、アイコン１１は、左右及び下側には移動可能な仕組みがとられているため、アイコン１１の左右及び下側には、入れ替えマーク２０（２０ａ、２０ｂ、２０ｃ）が表示される。
【００１９】
入れ替えマーク２０（２０ａ、２０ｂ、２０ｃ）は、周囲枠２４と同様に、枠部２１（２１ａ、２１ｂ、２１ｃ）が視覚で理解できるよう発色している。選択アイコン（オブジェクト）と対象アイコン（オブジェクト）との兼ね合いから、選択アイコンを対象アイコンと実際に入れ替え可能である場合には、入れ替えマーク２０の枠部２１が視覚で理解できるよう発色される。例えば、図３（Ａ）を参照すると、アイコン１１とアイコン１２は、幅及び高さが同じであり、アイコンの入れ替えが可能であるため、アイコン１１の右側に表示される入れ替えマーク２０ａの枠部２１ａが視覚で理解できるように発色されている。
【００２０】
第１の編集画面１０の左右端にはスライド部２５、２６が表示されている。左端のスライド部２５にタッチすると、第１の編集画面１０は、図３（Ｂ）に示す第２の編集画面３０へと切り替わり、右端のスライド部２６にタッチすると、第１の編集画面１０は、図３（Ｃ）に示す第３の編集画面４０へと切り替わる。
第１の編集画面１０の中央下部には、３つの画面ポジション表示２７（２７ａ、２７ｂ、２７ｃ）を含む、ポジション表示部２８が設けられている。画面ポジション表示２７の数は編集画面の数と等しく、現在表示中の画面の位置は、画面ポジション表示２７ａ、２７ｂ、２７ｃの何れかを発色させて表示される。
【００２１】
次に、オブジェクト配置位置の入れ替えについて説明する。
図４（Ａ）を参照すると、選択アイコン１１の周囲には、移動可能な方向を示す入れ替えマーク２０（２０ａ、２０ｂ、２０ｃ）が表示される。入れ替えマーク２０（２０ａ、２０ｂ、２０ｃ）の枠部２１（２１ａ、２１ｂ、２１ｃ）は発色している。
本実施の形態では、ユーザが、入れ替えマーク２０ａに触れた場合、図４（Ｂ）に示すように、選択アイコン１１と、入れ替えマーク２０ａが示す方向に位置する対象アイコン１２とが、表示位置を入れ替わって表示される。
入れ替えマーク２０ｂに触れた場合、図示は省略したが、選択アイコン１１と、下方に位置する対象アイコン１５とが、表示位置を入れ替わって表示される。入れ替えマーク２０ｃに触れた場合、選択アイコン１１の左方に位置する対象アイコンと表示位置を入れ替わって表示される。ただし、左方に位置する対象アイコンは、図４（Ａ）において存在せず、この場合、選択アイコン１１と、図３（Ｂ）に示す第２の編集画面３０中の対象アイコン１９とが表示位置を入れ替わって表示される。すなわち図４では、一個の選択アイコン１１と、この選択アイコン１１と略均等の表示形態を有する一個の対象アイコン１２とが、表示位置を入れ替わって表示される。
【００２２】
図４（Ｂ）において、選択アイコン１１の周囲には、上記と同様に、移動可能な方向を示す入れ替えマーク２０が表示される。この場合、入れ替えマーク２０の枠部２１が発色している。図４（Ｂ）において、選択アイコン１１を、更に例えば下方に移動させる場合、入れ替えマーク２０ｂをタッチ操作する。
すると、図示は省略したが、選択アイコン１１と、入れ替えマーク２０ｂが示す位置に存在する対象アイコン１６とが、入れ替わって表示される。この構成では、選択アイコン１１の移動先において、入れ替えマーク２０が表示されるため、選択アイコン１１は次々に隣接する対象アイコンと入れ替えできる。
【００２３】
第１の編集画面１０において、選択したいアイコンがアイコン１１ではなく、例えば、アイコン１２である場合、アイコン１２をタッチする。
すると、アイコン１２が選択されて、図示は省略したが、選択アイコン１２の周囲に入れ替えマーク２０が表示される。上記実施の形態と同様に、選択アイコン１２の移動先を指定するように、移動の方向を示す入れ替えマーク２０に触れると、当該移動先の対象アイコンと入れ替わって表示される。
【００２４】
図５は、別の実施の形態を示す。
図５では、アイコンより大きいウィジェットが、例えば編集画面１０中でどのように配置位置の入れ替えが行われるかを示した図である。
第１の編集画面１０には、図５（Ａ）参照のように、左半分にウィジェット３１、右半分にアイコン３２、３３、３４、３５が配置されている。
ウィジェット３１にはアプリケーションＡが、アイコン３２にはアプリケーションＢが、アイコン３３にはアプリケーションＤが、アイコン３４にはアプリケーションＣが、アイコン３５にはアプリケーションＥが、それぞれセッティングされている。
【００２５】
図５（Ａ）では、ウィジェット３１が編集可能に選択されている。選択ウィジェット３１の左上には、ウィジェット３１にセッティングされているアプリケーションＡを削除するための削除部３１ａが表示されている。選択ウィジェット３１の周囲枠３７は視覚で理解できるよう発色して明示される。周囲枠３７の左右外側には、入れ替えマーク２０（２０ａ、２０ｃ）が表示されている。入れ替えマーク２０（２０ａ、２０ｃ）も、周囲枠３７と同様に、枠部２１（２１ａ、２１ｃ）が視覚で理解できるよう発色して明示されている。また、第１の編集画面１０の左端には、図５（Ｂ）に示す第２の編集画面３０へと切り替えるスライド部２５が表示され、同右端には、図５（Ｃ）に示す第３の編集画面４０へと切り替えるスライド部２６が表示されている。第１の編集画面１０の下部には、ポジション表示部２８が表示されている。
【００２６】
図６（Ａ）は、図５（Ａ）に対応した第１の編集画面１０を示す。
選択ウィジェット３１の左右外側には、入れ替えマーク２０（２０ａ、２０ｃ）が表示されている。入れ替えマーク２０ａに触れた場合、図６（Ｂ）に示すように、選択ウィジェット３１と、入れ替えマーク２０ｂが示す方向に位置する、一群の対象アイコン３２、３４とが、入れ替わって表示される。
【００２７】
一群の対象アイコン３２、３４は、高さＨが選択ウィジェット３１の高さＨと等しく、一群の対象アイコン３２、３４の幅Ｗ１が等しく配置されている。この場合、選択ウィジェット３１の表示形態と、一群の対象アイコン３２、３４の表示形態とが、略均等と見做されて、選択ウィジェット３１と、一群の対象アイコン３２、３４とが入れ替えられる。
【００２８】
より詳細には、一群の対象アイコン３２、３４の群全体の表示領域の高さＨが、選択オブジェクト３１の表示領域の高さＨ内に収まり、一群の対象アイコン３２、３４の群のうち、個々のアイコン３２、３４の表示領域の幅が、一群の対象アイコン３２、３４の群のうち幅が最大となる対象アイコン３２、３４（ここでは対象アイコン３２、３４の幅は等しい。）の表示領域の幅内に収まる際に、選択オブジェクト３１と一群の対象オブジェクト３２、３４とが入れ替え可能となる。
なお一群の対象アイコン３２、３４の群全体の表示領域の幅Ｗが、選択オブジェクト５１の表示領域の幅Ｗ内に収まることは云うまでもない。
また、入れ替えマーク２０ｃに触れた場合、図示は省略したが、選択ウィジェット３１と、図５（Ｂ）に示す第２の編集画面３０中の一群の対象３６、３７とが表示位置を入れ替わって表示される。
【００２９】
図６（Ｂ）において、選択ウィジェット３１の周囲には、上記と同様に、移動可能な方向を示す入れ替えマーク２０が表示され、入れ替えマーク２０の枠部２１が発色している。ここで、更にウィジェット３１を例えば右方向に移動させる場合、入れ替えマーク２０ａをタッチ操作する。すると、図示は省略したが、選択ウィジェット３１と一群の対象アイコン３３、３５とが、入れ替わって表示される。
【００３０】
図７は、別の実施の形態を示す。
図７において、第１の編集画面１０には、画面の上半分にウィジェット５１、下半分にアイコン５２、５３、５４、５５が配置されている。
ウィジェット５１にはアプリケーションＡが、アイコン５２にはアプリケーションＢが、アイコン５３にはアプリケーションＣが、アイコン５４にはアプリケーションＤが、アイコン５５にはアプリケーションＥが、それぞれセッティングされている。
【００３１】
図７（Ａ）では、ウィジェット５１が選択されている。選択ウィジェット５１の左上には、ウィジェット５１にセッティングされているアプリケーションＡを削除するための削除部５１ａが表示されている。選択ウィジェット５１の周囲枠５７は視覚で理解できるよう発色して明示される。周囲枠５７の左右外側及び下側には、入れ替えマーク２０（２０ａ、２０ｂ、２０ｃ）が表示されている。入れ替えマーク２０（２０ａ、２０ｂ、２０ｃ）も、周囲枠５７と同様に、枠部２１（２１ａ、２１ｂ、２１ｃ）が視覚で理解できるよう発色して明示されている。図７（Ａ）において、一群の対象アイコン５２〜５５は、全体の幅Ｗ２が選択ウィジェット５１の幅Ｗ２と等しく、一群の対象アイコン５２〜５５の個々の高さＨ２が等しく配置されている。この場合において、例えば、入れ替えマーク２０ｂをタッチ操作すると、選択ウィジェット５１の表示形態と、一群の対象アイコン５２〜５５の表示形態とが、略均等と見做されて、選択ウィジェット５１と、一群の対象アイコン５２〜５５とが入れ替えられる。
【００３２】
より詳細には、一群の対象アイコン５２〜５５の群全体の表示領域の幅Ｗ２が、選択オブジェクト５１の表示領域の幅Ｗ２内に収まり、一群の対象アイコン５２〜５５の群のうち、個々のアイコン５２〜５５の表示領域の高さＨ２が、一群の対象アイコン５２〜５５の群のうち高さが最大となる対象アイコン５２〜５５（ここでは対象アイコン５２〜５５の高さは等しい。）の表示領域の高さ内に収まる際に、前記選択オブジェクトと前記一群の対象オブジェクトとを入り替えてもよい。
なお一群の対象アイコン５２〜５５の群全体の表示領域の高さＨ２が、選択オブジェクト５１の表示領域の高さＨ２内に収まることは云うまでもない。
【００３３】
図８では、第１の編集画面１０に、画面の左半分にウィジェット６１、右半分の上側にアイコン６２、６３、右半分の下側にウィジェット６４が配置されている。
ウィジェット６１にはアプリケーションＡが、アイコン６２にはアプリケーションＢが、アイコン６３にはアプリケーションＣが、アイコン６４にはアプリケーションＤが、それぞれセッティングされている。
【００３４】
図８（Ａ）では、ウィジェット６１が選択されている。選択ウィジェット６１の左上に、ウィジェット６１にセッティングされているアプリケーションＡを削除するための削除部６１ａが表示されている。入れ替えマーク２０（２０ａ、２０ｃ）も、周囲枠６７と同様に、枠部２１（２１ａ、２１ｃ）が視覚で理解できるよう発色して明示されている。図８（Ａ）において、一群の対象アイコン６２〜６４は、高さＨが選択ウィジェット６１の高さＨと等しく、一群の対象アイコン６２〜６４の幅Ｗが、対象アイコン６４の幅Ｗ内に収まって、かつ、選択ウィジェット６１の幅Ｗと等しく配置されている。
この場合には、例えば、入れ替えマーク２０ａをタッチ操作すると、選択ウィジェット６１の表示形態と、一群の対象アイコン６２〜６４の表示形態とが、略均等と見做されて、図８（Ｂ）に示すように、選択ウィジェット６１と、一群の対象アイコン６２〜６４とが入れ替えられる。
【００３５】
より詳細には、一群の対象アイコン６２〜６４の群全体の表示領域の高さＨが、選択オブジェクト６１の表示領域の高さＨ内に収まり、一群の対象オブジェクト６２〜６４の群のうち、個々のオブジェクト６２〜６４表示領域の幅が、一群の対象オブジェクト６２〜６４の群のうち幅が最大となる対象ウィジェット６４の表示領域の幅内に収まる際に、選択オブジェクト６１と一群の対象オブジェクト６２〜６４とが入れ替え可能となる。
【００３６】
図９では、第１の編集画面１０に、画面の上半分にアイコン７１、７２、７３、７４が、画面の下半分にウィジェット７５が、配置されている。
アイコン７１にはアプリＡが、アイコン７２にはアプリＢが、アイコン７３にはアプリＣが、アイコン７４にはアプリＤが、ウィジェット７５にはアプリＥが、それぞれセッティングされている。
【００３７】
図９では、アイコン７１が選択されている。アイコン７１が選択されていると、アイコン７１の左上に、アイコン７１にセッティングされているアプリＡを削除するための削除部７１ａが表示されている。アイコン７１が選択されている場合には、アイコン７１の周囲枠７７が視覚で理解できるよう明示される。周囲枠７７の左右両端の外側には、入れ替えマーク２０（２０ａ、２０ｂ、２０ｃ）が表示されている。
アイコン７１は、入れ替えマーク２０ａに触れることでアイコン７２と入れ替え可能である。また、アイコン７１は、入れ替えマーク２０ｃに触れることで、編集画面１０と隣接する編集画面中に存在する、不図示のアイコンと入れ替え可能である。そのため、入れ替えマーク２０のうち、２０ａ、２０ｃは、周囲枠７７と同様に、枠部２１（２１ａ、２１ｃ）が視覚で理解できるよう発色されている。
他方、入れ替えマーク２０ｂに触れても、アイコン７１は、ウィジェット７５と入れ替えることはできない。そのため、枠部２１ｂは、視覚で理解できるように発色されていない。
【００３８】
次に、図１０を参照し、アプリケーション追加操作を説明する。
図１０（Ａ）に示す第１の編集画面１０は、図３（Ａ）と同様の配置構成を備える。図１０では図示していないが、第１の編集画面１０の左右には、図３（Ｂ）、図３（Ｃ）と同様の第２、第３の編集画面３０、４０が存在する。図１０（Ａ）において、アイコン１３、１４、１６、１７、１８には、アプリケーションはセッティングされていない。アイコン１３、１４、１６、１７、１８には、アプリケーションの追加部１３ａ、１４ａ、１６ａ、１７ａ、１８ａが表示されている。
図１０（Ｂ）は、アプリケーション選択画面８０を示す。アプリケーション選択画面８０には、アプリケーションＥ〜Ｊ、が表示されている。アプリケーション選択画面８０の右端には、スクロール部８１が表示され、スクロール部８１の操作により、アプリケーション選択画面８０には、不図示の例えばアプリケーションＫ、アプリケーションＬ…と、切り替わって表示される。
【００３９】
アプリケーション追加操作において、図１０（Ａ）に示される、例えば追加部１３ａに触れると、第１の編集画面１０は図１０（Ｂ）に示すアプリケーション選択画面８０に切り替わる。アプリケーション選択画面８０では、スクロール部８１が上下にスライドされることで、アプリケーションの表示が切り替わる。アプリケーション選択画面８０に表示されている任意のアプリケーションに触れると、当該アプリケーションが、図１０（Ａ）のブランクアイコン１３へと配置される。ブランクアイコン１４〜１８に追加配置する場合にも、同様の操作がなされる。
なお、アプリケーションを削除する場合、例えば図３（Ａ）を参照すると、選択アイコン１１の左上に、削除部１１ａが表示される。削除部１１ａに触れると選択アイコン１１にセッティングされたアプリケーションＡは、選択アイコン１１から削除される。アプリケーションＡが削除された場合、アプリケーションＡは、図１０（Ｂ）参照のアプリケーション選択画面８０に表示される。
【００４０】
図１１は、別の実施の形態を示す。
図１１は、図３（Ａ）と同様の構成を備える。
選択アイコン１１には、入れ替えマーク２０（２０ａ、２０ｂ、２０ｃ）が表示されている。本実施の形態では、例えば入れ替えマーク２０ａをホールド（長押し）すると、選択アイコン１１との入れ替えが可能なオブジェクトの周囲枠、すなわち、対象アイコン１２の周囲枠２９が、視覚で理解できるよう発色して明示される。
この構成では、例えば入れ替えマーク２０ａを長押しし、対象アイコン１２の存在を認識した上で、一度手を放し、再度の入れ替えマーク２０ａのタッチ操作により、選択アイコン１１と対象アイコン１２の入れ替えが可能になる。
【００４１】
図１２は、別の実施の形態を示す。
図１２は、図５（Ａ）と同様の構成を備える。
この選択ウィジェット３１には、入れ替えマーク２０（２０ａ、２０ｃ）が表示されている。本実施の形態では、例えば、入れ替えマーク２０ａをホールド（長押し）することにより、一群の対象アイコン３２、３４の周囲枠３９が、視覚で理解できるよう発色して明示される。この構成では、例えば入れ替えマーク２０ａを長押しし、一群の対象アイコン３２、３４の存在を認識した上で、一度手を放し、再度の入れ替えマーク２０ａのタッチ操作により、選択ウィジェット３１と、一群の対象アイコン３２、３４との入れ替えが可能になる。
【００４２】
以上説明したように、本実施の形態によれば次の効果を奏する。
すなわち、本実施の形態によれば、ユーザが、タッチ操作ユニット１２０のタッチパネル１２１から、編集モードへの移行指令を与えると、制御部１００を介して、液晶表示装置１２２に、例えば図３（Ａ）に示すように、第１の編集画面１０が表示される。そして、オブジェクトの移動可能な方向を示すマークのうち、所望のマークへのタッチ操作により、選択オブジェクトと、この選択オブジェクトと隣り合う、所望の対象オブジェクトとを入れ替えることができる。
したがって、従来のようにドラッグ操作を必要とせず、タッチパネル１２１に一度触れるのみで操作を行うことを可能とする。マークへのタッチ操作で切り替えを可能としたため、例えば車内において、シートベルトで体が固定され、かつ、運転時の揺れが生じる状況においても、切換え時の誤操作を防止できる。
【００４３】
また、本実施の形態によれば、オブジェクトが選択されると、選択オブジェクトを潜在的に入れ替え可能な配置先がある場合には、選択オブジェクトの周囲に入れ替えマーク２０が表示される。そして、選択オブジェクトと対象オブジェクトとの兼ね合いから、選択オブジェクトを対象オブジェクトと実際に入れ替え可能である場合には、入れ替えマーク２０の枠部２１が視覚で理解できるよう明示される。
そのため、入れ替えマーク２０の枠部２１が視覚で理解できるよう明示されている場合、選択オブジェクトを対象オブジェクトと入れ替え可能であることが短時間で判断できる。
【００４４】
また、入れ替えマーク２０の枠部２１が視覚で理解できるよう明示されていない場合でも、潜在的には選択オブジェクトを対象オブジェクトの位置に配置することは可能であるから、対象オブジェクトをブランクオブジェクトとし、その後にブランクオブジェクトに選択オブジェクトと入れ替え可能な大きさのオブジェクトは配置すれば、選択オブジェクトと入れ替え可能であることを短時間で判断できる。
【００４５】
また、本実施の形態によれば、入れ替えマーク２０をホールド（長押し）することで、入れ替え先の対象オブジェクトの周囲枠が、視覚で理解できるよう明示される。
そのため、選択オブジェクトの入れ替え先が視覚を通じて一見明白に理解でき、操作を極めて短時間で行え、誤操作を防止できる。
例えば、車の通行中に、助手席に座る者がカーナビゲーション装置１を操作する場合、車が赤信号を待つために停車中の間にしかカーナビゲーション装置１の操作を行えないとしても、明確にオブジェクトの入れ替え先を理解でき、短時間の操作でオブジェクトの入れ替え操作を完了できる。
【００４６】
以上、一実施の形態に基づいて本発明を説明したが、本発明は、この実施形態に限定されるものではない。あくまでも本発明の一実施の態様を例示するものであるから、本発明の趣旨を逸脱しない範囲で任意に変更、及び応用が可能である。
例えば、本実施の形態では、車内に固定のカーナビゲーション装置１を例示したが、図１２に示すように、車内に例えばドッキングステーション６を配置してもよい。ドッキングステーション６には、車載情報装置として、携帯用のスマートフォン５やタブレットＰＣを運転時にドッキングし、スマートフォン５やタブレットＰＣに表示されるオブジェクトの入れ替えを可能にしてもよい。
【符号の説明】
【００４７】
１  カーナビゲーション装置（車載情報装置）
１０  第１の編集画面
１１〜１８  アイコン
１３ａ〜１８ａ  追加部
２０（２０ａ、２０ｂ、２０ｃ）  マーク（入れ替えマーク）
２１（２１ａ、２１ｂ、２１ｃ）  枠部
２４  周囲枠
３０  第２の編集画面
４０  第３の編集画面
１１０  制御部
１２１  タッチパネル
【図１】
2015151619.tif 000003
【図２】
2015151619.tif 000004
【図３】
2015151619.tif 000005
【図４】
2015151619.tif 000006
【図５】
2015151619.tif 000007
【図６】
2015151619.tif 000008
【図７】
2015151619.tif 000009
【図８】
2015151619.tif 000010
【図９】
2015151619.tif 000011
【図１０】
2015151619.tif 000012
【図１１】
2015151619.tif 000013
【図１２】
2015151619.tif 000014
【図１３】
2015151619.tif 000015
【国際調査報告】
2015151619.tif 000016
2015151619.tif 000017